(57)【要約】【課題】アクチュエータを支持する金属梁を設けずとも、端子と平型ケーブルとの接触圧を確保することが可能なコネクタを提供する。【解決手段】本発明のコネクタ１において、ハウジング２は端子４に対向する凸部２７を有し、アクチュエータ３は凸部２７に嵌合する凹部を有し、凹部に設けられる軸部３６３が凸部２７に設けられる軸受部２７ａに挿入される。このアクチュエータ３は、カム部３６１が凸部２７と端子４との間に嵌め込まれ、カム部３６１と端子４との間に平型ケーブルが挟持される挟持位置と、挟持が解除される解除位置と、の間を回動可能に設けられる。【選択図】図４Ｂ
2010272227.tif 000002
【特許請求の範囲】
【請求項１】
少なくとも１つの端子と、
前記端子が取り付けられ、前記端子に対向する少なくとも１つの凸部を有するハウジングと、
前記凸部に嵌合する少なくとも１つの凹部を有し、前記凸部および前記凹部の一方に設けられる軸部が他方に設けられる軸受部に挿入されるアクチュエータであって、カム部が前記凸部と前記端子との間に嵌め込まれ、前記カム部と前記端子との間に平型ケーブルが挟持される挟持位置と、挟持が解除される解除位置と、の間を回動可能に設けられるアクチュエータと、
を備えるコネクタ。
【請求項２】
前記凸部に前記軸受部が設けられ、
前記軸受部は、前記アクチュエータが前記挟持位置にあるときに前記カム部が位置する側とは逆側に開放した溝として形成される、
請求項１に記載のコネクタ。
【請求項３】
前記凸部および前記凹部には、前記アクチュエータが前記解除位置にあるときに互いに当接する突起部がそれぞれ形成される、
請求項１に記載のコネクタ。
【請求項４】
前記端子は、前記凸部に近づく方向に弾性変形可能に設けられる、
請求項１に記載のコネクタ。
【請求項５】
少なくとも１つの端子と、
前記端子が取り付けられ、前記端子に対向する少なくとも１つの凸部を有するハウジングと、
前記凸部に嵌合する少なくとも１つの凹部を有し、前記凸部および前記凹部の一方に設けられる軸部が他方に設けられる軸受部に挿入されるアクチュエータであって、カム部が前記凸部と前記端子との間に嵌め込まれ、前記カム部と平型ケーブルとの間に前記端子が挟持される挟持位置と、挟持が解除される解除位置と、の間を回動可能に設けられるアクチュエータと、
を備えるコネクタ。
【発明の詳細な説明】
【技術分野】
【０００１】
本発明は、コネクタに関し、特に、平型ケーブルの挿入後に、平型ケーブルの電極とコネクタの端子とを所要の圧力で接触させる技術に関する。
【背景技術】
【０００２】
ＦＰＣ（Flexible Printed Circuit）やＦＦＣ（Flexible Flat Cable）などの平型ケーブルに用いられるコネクタでは、平型ケーブルがコネクタに挿入された後に、アクチュエータが回動されることで、平型ケーブルの電極とコネクタの端子とが加圧接触される。
【先行技術文献】
【特許文献】
【０００３】
【特許文献１】特開平８−２７９３７８号公報
【発明の概要】
【発明が解決しようとする課題】
【０００４】
特許文献１には、アクチュエータの一部（挿入押圧部）が、金属梁と端子との間に挿入され、金属梁により端子に向けて押圧される技術が開示されている。しかしながら、こうした金属梁を設けることは、コスト高の要因となる。
【０００５】
なお、特許文献１には、ハウジング及びアクチュエータの長手方向の両端部に回動支点突起１３及び回動支点凹部３２を設けることが記載されている（特許文献１の段落００１１，００１２及び図６を参照）。しかしながら、これら回動支点突起１３及び回動支点凹部３２は、単にアクチュエータの回動の支点となるものであり、アクチュエータに押圧力を生じさせるものではない。現に、アクチュエータの挿入押圧部３３は、金属梁としての固定部２３により押圧されている。
【０００６】
本発明は、上記実情に鑑みて為されたものであり、アクチュエータを支持する金属梁を設けずとも、端子と平型ケーブルとの接触圧を確保することが可能なコネクタを提供することを主な目的とする。
【課題を解決するための手段】
【０００７】
上記課題を解決するため、本発明のコネクタは、少なくとも１つの端子と、前記端子が取り付けられるハウジングと、アクチュエータとを備える。前記ハウジングは、前記端子に対向する少なくとも１つの凸部を有する。前記アクチュエータは、前記凸部に嵌合する少なくとも１つの凹部を有し、前記凸部および前記凹部の一方に設けられる軸部が他方に設けられる軸受部に挿入される。そして、前記アクチュエータは、カム部が前記凸部と前記端子との間に嵌め込まれ、前記カム部と前記端子との間に平型ケーブルが挟持される挟持位置と、挟持が解除される解除位置と、の間を回動可能に設けられる。
【０００８】
本発明によれば、ハウジングの凸部が端子に対向して設けられており、アクチュエータのカム部が凸部と端子との間に嵌め込まれるときに、カム部と端子との間に平型ケーブルが挟持される。このため、アクチュエータを支持する金属梁を設けずとも、端子と平型ケーブルとの接触圧を確保することができる。
【０００９】
また、本発明の一実施形態では、前記凸部に前記軸受部が設けられ、前記軸受部は、前記アクチュエータが前記挟持位置にあるときに前記カム部が位置する側とは逆側に開放した溝として形成される。これによれば、挟持位置においてアクチュエータの脱落が抑制される。
【００１０】
また、本発明の一実施形態では、前記凸部および前記凹部には、前記アクチュエータが前記解除位置にあるときに互いに当接する突起部がそれぞれ形成される。これによれば、アクチュエータが解除位置から挟持位置とは逆側に回動することが制限される。
【００１１】
また、本発明の一実施形態では、前記端子は、前記凸部に近づく方向に弾性変形可能に設けられる。これによれば、端子と平型ケーブルとの接触圧が、端子の弾性変形によって高められる。
【００１２】
また、本発明のコネクタは、少なくとも１つの端子と、前記端子が取り付けられるハウジングと、アクチュエータとを備える。前記ハウジングは、前記端子に対向する少なくとも１つの凸部を有する。前記アクチュエータは、前記凸部に嵌合する少なくとも１つの凹部を有し、前記凸部および前記凹部の一方に設けられる軸部が他方に設けられる軸受部に挿入される。そして、前記アクチュエータは、カム部が前記凸部と前記端子との間に嵌め込まれ、前記カム部と平型ケーブルとの間に前記端子が挟持される挟持位置と、挟持が解除される解除位置と、の間を回動可能に設けられる。
【図面の簡単な説明】
【００１３】
【図１Ａ】アクチュエータが解除位置にあるコネクタの外観斜視図である。
【図１Ｂ】アクチュエータが挟持位置にあるコネクタの外観斜視図である。
【図２Ａ】ハウジングの外観斜視図である。
【図２Ｂ】ハウジングの部分拡大図である。
【図３Ａ】アクチュエータの外観斜視図である。
【図３Ｂ】アクチュエータの部分拡大図である。
【図４Ａ】アクチュエータが解除位置にあるコネクタの断面図である。
【図４Ｂ】アクチュエータが挟持位置にあるコネクタの断面図である。
【図５】突起部同士の当接を説明する図である。
【図６Ａ】コネクタの組み立てを説明する第１図である。
【図６Ｂ】コネクタの組み立てを説明する第２図である。
【図６Ｃ】コネクタの組み立てを説明する第３図である。
【図７】変形例を表す断面図である。
【発明を実施するための形態】
【００１４】
本発明のコネクタの実施形態を、図面を参照しながら説明する。
【００１５】
図１Ａ及び図１Ｂは、コネクタ１の外観斜視図である。図１Ａは、アクチュエータ３が解除位置にある状態を表し、図１Ｂは、アクチュエータ３が挟持位置にある状態を表す。図２Ａ及び図２Ｂは、ハウジング２の外観斜視図及び部分拡大図である。図３Ａ及び図３Ｂは、アクチュエータ３の外観斜視図及び部分拡大図である。図４Ａ及び図４Ｂは、コネクタ１を、ハウジング２の凸部２７とアクチュエータ３の側壁部３８との間で切断した断面図である。図４Ａは、アクチュエータ３が解除位置にある状態を表し、図４Ｂは、アクチュエータ３が挟持位置にある状態を表す。図５は、ハウジング２の突起部２７３とアクチュエータ３の突起部３６５との当接を説明する図である。図６Ａないし図６Ｃは、コネクタ１の組み立てを説明する図である。
【００１６】
図１Ａ及び図１Ｂに示されるように、コネクタ１は、絶縁性の樹脂材料により成型された概略箱状のハウジング２を有している。このハウジング２の前面には挿入口１０ａ（図４Ａを参照）が位置しており、そこに不図示の平型ケーブルが挿入される。平型ケーブルは、ＦＰＣやＦＦＣなどの、一方の面の端部に電極群が形成された柔軟性を有する平型の配線部材であり、本実施形態では電極群が下を向くようにして挿入口１０ａに挿入される。ハウジング２の内部には、導電性の金属薄板を折り曲げて成形された複数の端子４が、所定間隔で互いに平行に配置されている。ハウジング２の上部前側には、絶縁性の樹脂材料により成型され、左右に延びた横長のアクチュエータ３が取り付けられている。また、ハウジング２の左右の端部には、金属薄板を折り曲げて成型された支持金具５が取り付けられている。この支持金具５は、不図示の回路基板に半田付けされる。
【００１７】
図２Ａに示されるように、ハウジング２は、底部２１、側部２３及び頂部２５を有し、概略箱状に形成されている。底部２１には、上記端子４が挿入される複数の端子溝部２１ａが形成されている。頂部２５は、底部２１の後半部を覆うように形成されており、その前端部には、前方に向けて突出する複数の凸部２７が長手方向に沿って所定間隔で配列している。これら凸部２７は、底部２１に保持される端子４の上方に位置する。具体的には、図４Ａに示されるように、凸部２７は、端子４のうち、平型ケーブルとの接点となる、山状に折れ曲がった接点部４１の上方に位置する。
【００１８】
図２Ｂに示されるように、凸部２７の左右両方の側部には、軸受部２７ａが設けられている。これら軸受部２７ａは、上方側が開放されたＵ字状の溝として形成されており、後述するアクチュエータ３の軸部３６３が挿入される。凸部２７の中央部には、左右の軸受部２７ａの間に、上下方向に貫通する矩形状の抜き部２７ｃが設けられている。軸受部２７ａの前方側には、左右の外方に向けて突出した突起部２７３が形成されている。凸部２７の前部から下部にかけては、軸受部２７ａを中心とする周面２７１が形成されている。また、凸部２７の左右両脇の、頂部２５の前端部には、前斜め上方を向くテーパ面２５２が形成されている。
【００１９】
図３Ａに示されるように、アクチュエータ３は、左右に延びる横長の略板状に形成されている。アクチュエータ３の前方側の長辺部は、使用者がアクチュエータ３を指で回動操作させるための操作部３２とされる。アクチュエータ３の後方側の長辺部には、複数の凹部３６が所定間隔で配列している。これら凹部３６は、上記ハウジング２に設けられた凸部２７に対応している。
【００２０】
図３Ｂに示されるように、凹部３６内には、左右両方の側壁部３８から内方に向けて延びる軸部３６３が設けられている。これら軸部３６３の先端部は、上記ハウジング２の軸受部２７ａに挿入される。これら軸部３６３の基端部の後方側には、これら軸部３６３の基端部と連続して突起部３６５が形成されている。凹部３６内の後下端部には、左右に延びて側壁部３８同士を繋ぐカム部３６１が設けられている。このカム部３６１は、突起部３６５の下方に設けられている。このカム部３６１の前方側の中央には、カム部３６１と前壁部３９とを繋ぐリブ部３６２が設けられており、このリブ部３６２の左右両脇には、上下方向に貫通する抜き部３６１ａが設けられている。このリブ部３６２の表面は、軸部３６３を中心とする周面とされる。
【００２１】
このように構成されるアクチュエータ３は、図４Ａに示されるように、起立した姿勢でハウジング２に取り付けられる。具体的には、アクチュエータ３の凹部３６に設けられた軸部３６３が、ハウジング２の凸部２７に設けられた軸受部２７ａに上方側から挿入されることで、アクチュエータ３の凹部３６とハウジング２の凸部２７とが嵌め合わされる。このときのアクチュエータ３の位置が、解除位置の一例である。このとき、凸部２７と端子４との間には隙間が形成されており、平型ケーブルは、挿入口１０ａからこの隙間に挿入される。
【００２２】
そして、アクチュエータ３は、操作部３２が使用者に操作されることによって、上記解除位置と、図４Ｂに示される前方に倒れた姿勢の挟持位置と、の間で回動する。アクチュエータ３が解除位置から挟持位置に回動すると、凸部２７の前方に位置していたカム部３６１は下方かつ後方へ移動し、凸部２７と端子４との間に嵌め込まれる。このとき、カム部３６１と端子４との間に、平型ケーブルが挟持される。また、このとき、端子４は、カム部３６１によって押し下げられるので、弾性変形によってカム部３６１を押し返す力、すなわち平型ケーブルを挟み込む力を生じる。
【００２３】
なお、図５に示されるように、アクチュエータ３がやや後方に傾いたとき、アクチュエータ３の軸部３６３の脇に設けられた突起部３６５と、ハウジング２の軸受部２７ａの前方側に設けられた突起部２７３とが当接するので、アクチュエータ３のそれ以上の後方側への回動が制限される。これにより、アクチュエータ３の解除位置においてさらに後方への回動力が加わったとしても、アクチュエータ３の軸部３６３が外れにくくなる。
【００２４】
以下、コネクタ１の組み立てについて説明する。まず、図６Ａに示されるように、アクチュエータ３は、起立した姿勢で下方に移動され、ハウジング２に取り付けられる。このとき、上述したように、アクチュエータ３の凹部３６に設けられた軸部３６３が、ハウジング２の凸部２７に設けられた軸受部２７ａに上方側から挿入される（図４Ａを参照）。次に、図６Ｂに示されるように、ハウジング２の左右両端部に、不図示の回路基板に半田付けするための支持金具５が取り付けられる。そして、図６Ｃに示されるように、複数の端子４がハウジング２に後方側から一斉に挿入される。
【００２５】
なお、図６Ｃに示されるように、端子４は、端子集合体４０の一部として形成される。この端子集合体４０は、複数の端子４が基部４９に保持された形状を有しており、１枚の金属薄板からこの形状に成型される。こうした端子集合体４０を得ることで、複数の端子４をハウジング２に一括して圧入することが可能となる。
【００２６】
以上に説明した本実施形態によれば、図４Ｂに示されるように、ハウジング２の凸部２７が、ハウジング２に保持される端子４のうち、平型ケーブルとの接点となる接点部４１の上方に設けられており、アクチュエータ３が挟持位置に位置するときに、アクチュエータ３の一部であるカム部３６１が、凸部２７と端子４の接点部４１との間に嵌め込まれる。このとき、カム部３６１と端子４の接点部４１との間に平型ケーブルが挟持されることから、端子４の接点部４１と平型ケーブルの電極との接触圧を確保することができる。
【００２７】
また、本実施形態では、図４Ｂに示されるように、ハウジング２の凸部２７の側部に設けられた軸受部２７ａが、上方側が開放されたＵ字状の溝として形成されており、この軸受部２７ａに、アクチュエータ３の凹部３６に設けられた軸部３６３が挿入される。そして、アクチュエータ３が挟持位置にあるとき、アクチュエータ３の一部であるカム部３６１が、ハウジング２の凸部２７の下方側に位置することから、アクチュエータ３が何れの方向にも抜け落ちなくなる。
【００２８】
また、本実施形態では、図２Ｂに示されるように、ハウジング２の軸受部２７ａの前方側に突起部２７３が設けられ、図３Ｂに示されるように、アクチュエータ３の軸部３６３の脇に突起部３６５が設けられる。これら突起部２７３及び突起部３６５は、図５に示されるように、アクチュエータ３がやや後方に傾いたときに当接することから、アクチュエータ３のそれ以上の後方への回動が制限される。これにより、アクチュエータ３の解除位置においてさらに後方への回動力が加わったとしても、アクチュエータ３の軸部３６３が外れにくくなる。
【００２９】
また、本実施形態では、端子４は、金属薄板を折り曲げることで成形されており、板圧方向である上下方向に弾性変形可能とされる。このため、アクチュエータ３が挟持位置に回動し、アクチュエータ３の一部であるカム部３６１が凸部２７と端子４との間に嵌め込まれると、端子４は、カム部３６１によって押し下げられる。その結果、端子４の弾性変形によって、端子４の接点部４１と平型ケーブルの電極との接触圧が高められる。
【００３０】
以上、本発明の実施形態について説明したが、本発明は上記実施形態に限定されるものではなく、種々の変形実施が当業者にとって可能であるのはもちろんである。
【００３１】
例えば、上記実施形態は、アクチュエータ３の一部であるカム部３６１と端子４との間に平型ケーブルが挟持される態様であったが、これとは逆に、図７に示されるようにカム部３６１と平型ケーブルとの間に端子４が挟持される態様であってもよい。
【００３２】
なお、本発明の趣旨は、アクチュエータを支持する金属梁を排除するものではなく、上記本発明の構成に、アクチュエータを支持する金属梁を組み合わせて、アクチュエータの押圧力の更なる向上を図ってもよい。
【符号の説明】
【００３３】
１  コネクタ、１０ａ  挿入口、２  ハウジング、２１  底部、２１ａ  端子溝部、２３  側部、２５  頂部、２５２  テーパ面、２７  凸部、２７ａ  軸受部、２７ｃ  抜き部、２７１  周面、２７３  突起部、３  アクチュエータ、３２  操作部、３６  凹部、３６１  カム部、３６１ａ  抜き部、３６２  リブ部、３６３  軸部、３６５  突起部、３８  側壁部、３９  前壁部、４  端子、４０  端子集合体、４１  接点部、４９  基部、５  支持金具。
【図１Ａ】
2010272227.tif 000003
【図１Ｂ】
2010272227.tif 000004
【図２Ａ】
2010272227.tif 000005
【図２Ｂ】
2010272227.tif 000006
【図３Ａ】
2010272227.tif 000007
【図３Ｂ】
2010272227.tif 000008
【図４Ａ】
2010272227.tif 000009
【図４Ｂ】
2010272227.tif 000010
【図５】
2010272227.tif 000011
【図６Ａ】
2010272227.tif 000012
【図６Ｂ】
2010272227.tif 000013
【図６Ｃ】
2010272227.tif 000014
【図７】
2010272227.tif 000015